(57)【要約】【課題】マスタシリンダに対するリザーバタンクの誤組付を防止しつつ、組付時におけるリザーバタンクの損傷を低減することができるリザーバタンクを提供する。【解決手段】マスタシリンダに固定して使用されるリザーバタンクであって、樹脂製の容器からなるリザーバ本体と、リザーバ本体の底部から下方に向けて突設され、グロメットシールが装着されるとともにマスタシリンダのボス部に嵌合される円筒部と、リザーバ本体の底部近傍における、互いに対向する両横方向に設けられ、円筒部をボス部に嵌め合わせる際に組付治具を係止するための係止部であって、両横方向の一方側に設けられた第１の係止部、及び両横方向の他方側に設けられた第２の係止部とを備え、リザーバ本体を底面側から見た場合に、所定配置した状態での第１及び第２の係止部の配置位置と、所定配置に対して１８０°回転させて配置した状態での第１及び第２の係止部の配置位置とを異ならせる。【選択図】図９
2008007061.tif 000002
【特許請求の範囲】
【請求項１】
マスタシリンダに固定して使用されるリザーバタンクにおいて、
樹脂製の容器からなるリザーバ本体と、
前記リザーバ本体の底部から下方に向けて突設され、グロメットシールが装着されるとともに前記マスタシリンダのボス部に嵌合される円筒部と、
前記リザーバ本体の底部近傍における、互いに対向する両横方向に設けられ、前記円筒部を前記ボス部に嵌め合わせる際に組付治具を係止するための係止部であって、前記両横方向の一方側に設けられた第１の係止部、及び前記両横方向の他方側に設けられた第２の係止部と、を備え、
前記リザーバ本体を底面側から見た場合における、所定配置した状態での前記第１及び第２の係止部の配置位置と、前記所定配置に対して１８０°回転させて配置した状態での前記第１及び第２の係止部の配置位置と、を異ならせたことを特徴とするリザーバタンク。
【請求項２】
前記第１及び第２の係止部を、前記組付治具の形状に対応させて配置することを特徴とする請求項１に記載のリザーバタンク。
【請求項３】
前記第１及び第２の係止部はそれぞれ数が異なる一つ又は複数の係止部を含むことを特徴とする請求項１又は２に記載のリザーバタンク。
【請求項４】
前記第１及び第２の係止部の少なくとも一部を、対向する側の係止部の非存在位置に配置することを特徴とする請求項１〜３のいずれか一項に記載のリザーバタンク。
【請求項５】
前記第１及び第２の係止部を千鳥状に配置することを特徴とする請求項１〜４のいずれか一項に記載のリザーバタンク。
【請求項６】
前記第１及び第２の係止部を、前記マスタシリンダの軸線方向に対して垂直に交差する方向側に設けることを特徴とする請求項１〜５のいずれか一項に記載のリザーバタンク。
【請求項７】
前記第１及び第２の係止部のうちの少なくとも一方の係止部は複数の係止部を含み、隣接する前記複数の係止部の間にリブを備えることを特徴とする請求項１〜６のいずれか一項に記載のリザーバタンク。
【請求項８】
前記第１及び第２の係止部は、前記リザーバ本体から突設した突出部に設けられた貫通孔であることを特徴とする請求項１〜７のいずれか一項に記載のリザーバタンク。
【請求項９】
前記第１及び第２の係止部は、前記円筒部から等距離の係止部を含むことを特徴とする請求項１〜８のいずれか一項に記載のリザーバタンク。
【発明の詳細な説明】
【技術分野】
【０００１】
本発明は、マスタシリンダに固定されるリザーバタンクに関する。特に、リザーバ本体の底部から下方に向けて突設された円筒部を、マスタシリンダのボス部に嵌合させた状態で固定されるリザーバタンクに関する。
【背景技術】
【０００２】
従来、自動車等の車両におけるブレーキやクラッチのシステムに装備されるマスタシリンダには、シリンダ内に液体を補給するためのリザーバタンクが取り付けられている。このマスタシリンダは、シリンダ外周にボス部を有し、ボス部に対してリザーバタンクの接続口を嵌合させることにより、リザーバタンクがマスタシリンダに対して固定されている。このマスタシリンダにリザーバタンクを組付ける際には、リザーバタンクの接続口をマスタシリンダのボス部に対して位置合わせした後、押圧した状態で、マスタシリンダ及びリザーバタンクの双方に設けられた固定ピン挿入孔に固定ピンを挿通させて組付けられる。
【０００３】
ここで、リザーバタンクは、生産コストや成形性を考慮して、ポリプロピレン（ＰＰ）やポリエチレンテレフタレート（ＰＥＴ）等の合成樹脂を用いて作られている。そのため、マスタシリンダに対して組付ける際に、押圧の仕方によっては変形し、いわゆる白化（乳化）したり、損傷したりする場合がある。
【０００４】
そこで、マスタシリンダへの組付時にリザーバ本体の外壁面が損傷することを防止することができるマスタシリンダ用リザーバが提案されている。より具体的には、図１９に示すように、リザーバ本体３２１の下部半体３２２の底部には、その下部半体３２２の横方向の両外側において、グロメット３１６を介して筒部３１８をボス部に嵌合せしめる際に組付治具を上方より係合させてリザーバ本体３２１に下向きの押圧力を作用させるための少なくとも一対の係止突部３２４、３２５が、筒部３１８の近傍で下部半体３２２の底部の両外側方にそれぞれ突出して一体に連設されたマスタシリンダ用リザーバが開示されている（特許文献１参照）。
【特許文献１】特許第３４３２９５４号公報  （特許請求の範囲  図３）
【発明の開示】
【発明が解決しようとする課題】
【０００５】
しかしながら、特許文献１に開示されたマスタシリンダ用リザーバは、組付時の外壁面の損傷を防止することができるものの、リザーバ本体に設けられた係止突部の配置位置や、リザーバ本体の底面形状が、上下左右それぞれ対称形となっているため、マスタシリンダとリザーバタンクとが誤って組み付けられるおそれがあった。すなわち、リザーバ本体の底面形状を眺めると、マスタシリンダのボス部に嵌合する筒部が、上下左右それぞれ対称に設けられており、さらに、組付時に用いられる係止突部も、マスタシリンダの軸線を中心として対称に設けられている。したがって、リザーバタンクをマスタシリンダに対して組付ける際に、リザーバタンクを誤って１８０°反転した状態でセットした場合であっても、気付かれないまま組み付けられてしまうおそれがあった。
【０００６】
そこで、本発明の発明者らは鋭意検討した結果、リザーバ本体に設ける係止部を、所定の関係を持たせて配置することにより、このような問題を解決できることを見出し、本発明を完成させたものである。
すなわち、本発明は、マスタシリンダに対するリザーバタンクの誤組付を防止しつつ、組付時におけるリザーバタンクの損傷を低減することができるリザーバタンクを提供することを目的とする。
【課題を解決するための手段】
【０００７】
本発明によれば、マスタシリンダに固定して使用されるリザーバタンクであって、樹脂製の容器からなるリザーバ本体と、リザーバ本体の底部から下方に向けて突設され、グロメットシールが装着されるとともにマスタシリンダのボス部に嵌合される円筒部と、リザーバ本体の底部近傍における、互いに対向する両横方向に設けられ、円筒部をボス部に嵌め合わせる際に組付治具を係止するための係止部であって、両横方向の一方側に設けられた第１の係止部、及び両横方向の他方側に設けられた第２の係止部と、を備え、リザーバ本体を底面側から見た場合に、所定配置した状態での第１及び第２の係止部の配置位置と、所定配置に対して１８０°回転させて配置した状態での第１及び第２の係止部の配置位置と、を異ならせたことを特徴とするリザーバタンクが提供され、上述した問題を解決することができる。
【０００８】
また、本発明のリザーバタンクを構成するにあたり、第１及び第２の係止部を、組付治具の形状に対応させて配置することが好ましい。
【０００９】
また、本発明のリザーバタンクを構成するにあたり、第１及び第２の係止部はそれぞれ数が異なる一つ又は複数の係止部を含むことが好ましい。
【００１０】
また、本発明のリザーバタンクを構成するにあたり、第１及び第２の係止部の少なくとも一部を、対向する側の係止部の非存在位置に配置することが好ましい。
【００１１】
また、本発明のリザーバタンクを構成するにあたり、第１及び第２の係止部を千鳥状に配置することが好ましい。
【００１２】
また、本発明のリザーバタンクを構成するにあたり、第１及び第２の係止部を、マスタシリンダの軸線方向に対して垂直に交差する方向側に設けることが好ましい。
【００１３】
また、本発明のリザーバタンクを構成するにあたり、第１及び第２の係止部のうちの少なくとも一方の係止部は複数の係止部を含み、隣接する複数の係止部の間にリブを備えることが好ましい。
【００１４】
また、本発明のリザーバタンクを構成するにあたり、第１及び第２の係止部は、リザーバ本体から突設した突出部に設けられた貫通孔であることが好ましい。
【００１５】
また、本発明のリザーバタンクを構成するにあたり、第１及び第２の係止部は、円筒部から等距離の係止部を含むことが好ましい。
【発明の効果】
【００１６】
本発明のリザーバタンクによれば、リザーバ本体の底部近傍の両横方向に、１８０°回転させて眺めた場合の配置位置が異なるように第１及び第２の係止部を設けることにより、リザーバタンクをマスタシリンダに対して組付ける際に、リザーバタンクのセット位置が誤っている場合に速やかに検知できるようになった。したがって、マスタシリンダに対して方向を誤った状態でリザーバタンクの組付作業が行われることを防止することができ、リザーバタンクの損傷や、誤組付されたままの不良品の発生を低減することができる。
【００１７】
また、本発明のリザーバタンクを構成するにあたり、組付治具の形状に対応した係止部とすることにより、リザーバタンクのセット方向が誤っている場合には、組付治具の先端つめ部によって係止できないようになるため、セット位置の誤りをより確実に検知することができる。
【００１８】
また、本発明のリザーバタンクを構成するにあたり、第１及び第２の係止部の数が異なっていることにより、リザーバタンクのセット方向が誤っている場合に、容易に検知することができる。
【００１９】
また、本発明のリザーバタンクを構成するにあたり、第１及び第２の係止部のいずれか一方に含まれる係止部の一部を、他方の係止部の非存在位置に配置することにより、組付治具やセンサ等を用いて、リザーバタンクのセット方向の誤りを容易に検知することができる。
【００２０】
また、本発明のリザーバタンクを構成するにあたり、第１及び第２の係止部を千鳥状に配置することにより、円筒部に対してバランスよく係止部を配置できるとともに、１８０°回転させた状態での係止部の配置位置を異ならせることができる。
【００２１】
また、本発明のリザーバタンクを構成するにあたり、係止部を所定方向に設けることにより、組付治具の動作の邪魔になるおそれが少なく、組付作業の効率を低下させることがなくなる。
【００２２】
また、本発明のリザーバタンクを構成するにあたり、係止部の間をリブ状に構成することにより、リザーバタンク内部の収容量を小さくすることなく、リザーバタンクの強度を高めることができる。
【００２３】
また、本発明のリザーバタンクを構成するにあたり、係止部を所定箇所に設けられた貫通孔とすることにより、組付作業の際に、円筒部にグロメットシールが装着されているかを確認できる確認穴として利用することができ、グロメットシールの装着忘れを防ぐことができる。
【００２４】
また、本発明のリザーバタンクを構成するにあたり、第１及び第２の係止部が、円筒部から等距離の係止部を含むことにより、円筒部をマスタシリンダのボス部に嵌合させる際の押圧力を均一化することができる。
【発明を実施するための最良の形態】
【００２５】
以下、本発明の実施の形態のリザーバタンクとして、ブレーキ用のリザーバタンクを例に採って、適宜図面を参照しながら具体的に説明する。ただし、かかる実施形態は、本発明の一態様を示すものであり、この発明を限定するものではなく、本発明の範囲内で任意に変更することが可能である。
なお、各図中、同一の符号を付してあるものは同一の部材を示しており、適宜説明を省略する。
【００２６】
図１は、リザーバタンク１０をタンデム型のマスタシリンダ１に固定した状態を示す図であり、結合部分の一部及びマスタシリンダ１を断面によって示してある。また、結合部分については、さらに断面を拡大して示してある。
マスタシリンダ１を構成するシリンダ本体２は、実質的に円筒状の部材であって、軸線方向に沿った一端側が閉塞されるとともに、他端側が開口されている。また、シリンダ本体２内には開口された端部側からピストン３が摺動可能に挿入されている。このピストン３は、第１のピストン３ａ及び第２のピストン３ｂから構成され、ブレーキ操作時において、ブレーキペダルの踏み込み等によってシリンダ本体２内を軸方向に移動する。また、シリンダ本体２内を第１のピストン３ａによって区画された領域は第１の液圧室４ａを構成し、シリンダ本体２内を第１のピストン３ａ及び第２のピストン３ｂによって区画された領域は第２の液圧室４ｂを構成し、各ピストン３ａ、３ｂがシリンダ本体２の閉塞された端部側に移動することによって、各液圧室４ａ、４ｂ内の液圧が高められる。
【００２７】
また、第１の液圧室４ａは、例えば、ブレーキ配管を通じて前輪右側及び後輪左側のブレーキ装置（図示せず）につなげられ、第２の液圧室４ｂは、ブレーキ配管を通じて前輪左側及び後輪右側のブレーキ装置（図示せず）につなげられている。そして、各ブレーキ装置は、ブレーキペダルの操作に応じて各液圧室からのブレーキ液圧の供給を受け、車輪に対してブレーキ力を生じさせるものである。
なお、このブレーキ配管の構成はいわゆるＸ配管の例であるが、これ以外にも、前輪側のブレーキ装置を第１の液圧室につなぎ、後輪側のブレーキ装置を第２の液圧室につなぐようにした、いわゆるＨ配管を採用することもできる。
【００２８】
ここで、シリンダ本体２の外周上側には、軸方向に離間して突出して配置された第１のボス部５ａ及び第２のボス部５ｂを備えている。これらのボス部５ａ、５ｂは、例えば、シリンダ本体２と一体的に形成され、底部に第１及び第２の液圧室４ａ、４ｂに連絡する連絡孔６を有し、上面でグロメットシール７のフランジ部７ａを受け、内周面にグロメットシール７が押圧されてシールされる、筒状部として形成されている。そして、第１及び第２のボス部５ａ、５ｂには、後述するリザーバタンク１０の円筒部１１ａ、１１ｂが嵌合され、リザーバタンク１０内に収容されているブレーキ液が、リザーバタンク１０と液圧室４ａ、４ｂとの間を行き来できるようにされている。
また、第１及び第２のボス部５ａ、５ｂの間には、上方に突出して形成されたリブ（図示せず）を備え、このリブには固定ピン挿入穴（図示せず）が設けられている。そして、固定ピン挿入穴は、リザーバタンク１０の突出部１３に設けられた固定ピン挿入穴１５と同一直線上に位置し、すべての固定ピン挿入穴に対して固定ピン９が挿入され、リザーバタンク１０とマスタシリンダ１とが固定されている。
【００２９】
また、シリンダ本体２と接続されるリザーバタンク１０は、上面側に給液口１７を有し、ブレーキ液が収容されるリザーバ本体２１と、リザーバ本体２１の底部から下方に向けて突設され、グロメットシール７が装着されるとともにマスタシリンダ１の第１及び第２のボス部５ａ、５ｂに嵌合される第１及び第２の円筒部１１ａ、１１ｂと、を備えており、合成樹脂等を用いて一体的に成形されている。
リザーバ本体２１の底部から突設する第１及び第２の円筒部１１ａ、１１ｂは、シリンダ本体２の第１及び第２のボス部５ａ、５ｂに対応するように離間して配置されている。また、各円筒部１１ａ、１１ｂは、上側の大径部１８と下側の小径部１９とを含む段付の円筒状に形成され、大径部１８は、グロメットシール７のフランジ部７ａ上面と当接し、小径部１９は、グロメットシール７と当接するシール面となっている。そして、第１及び第２の円筒部１１ａ、１１ｂは、グロメットシール７を介してシリンダ本体２の第１及び第２のボス部５ａ、５ｂに嵌合される。
【００３０】
次に、図１中のＸＸ断面を矢印方向から見た断面図を図２に示す。この図２に示すように、リザーバ本体２１の底部には、第１及び第２の円筒部の配列方向に対して垂直方向に交差する方向に離間して配置され、底部から下方に向けて突設した第１及び第２の突出部１３ａ、１３ｂを備えており、各突出部１３ａ、１３ｂの中央には、リザーバタンク１０とマスタシリンダ１とが係合した状態で、固定ピン９が挿入される固定ピン挿入穴（図示せず）がそれぞれ設けられている。
これらの固定ピン挿入穴と、シリンダ本体２の上側のリブに設けられた固定ピン挿入穴とは同一直線上にあり、一本の固定ピン９が挿入されることにより、マスタシリンダ１とリザーバタンク１０とが固定されている。
【００３１】
また、リザーバ本体２１の底部近傍における、互いに対向する両横方向には、円筒部１１ｂをボス部５ｂに嵌め合わせる際に組付治具を係止するための係止部２３、２４であって、両横方向の一方側に設けられた第１の係止部２３、及び両横方向の他方側に設けられた第２の係止部２４と、が備えられている。図１及び図２に示す本実施形態のリザーバタンク１０においては、第１及び第２の係止部２３、２４として、底部近傍から横方向に突出する突部が形成されている。
このように形成される係止部であれば、リザーバタンクが用いられる用途や、車種等によって、リザーバ本体の全体形状が異なる場合であっても、形状を共通化しやすい底部に設けてあるために、組付治具を含む組付装置を共通化させることができる。したがって、リザーバタンクの種類ごとに組付治具等を変える必要がなくなり、生産コストの上昇を抑えることができる。また、リザーバ本体の底部であれば、リザーバタンクの容量に影響を与えることなく厚肉にしたりできるため、組付時の押圧力に耐えうる設計が可能になり、当該押圧力によるリザーバタンクの損傷を防ぐことができる。
なお、係止部は、互いに対向する両横方向に少なくとも形成されていればよく、当該両横方向以外にさらに別の係止部が形成されていても構わない。
【００３２】
また、図１に示すグロメットシール７は、シール本体部７ｂとフランジ部７ａとからなり、弾性変形可能であり、かつ、比較的高硬度な合成ゴム材料等を用いて形成されている。グロメットシール７のシール本体部７ｂは、リザーバタンク１０の円筒部１１ａの外周と、マスタシリンダ１のボス部５ａの内周との間に介在するように、リザーバタンク１０及びマスタシリンダ１に固定される。また、グロメットシール７のフランジ部７ａは、マスタシリンダ１のボス部５ａとリザーバタンク１０の底部とによって挟持され、グロメットシール７の支持部として機能する。このフランジ部７ａは、ボス部５ａ上面とリザーバタンク１０の底面との間のシールとしての機能を併せ持っている。
【００３３】
ここで、マスタシリンダに対するリザーバタンクの組付方法の一例を、図３〜図８を参照しながら説明する。図３（ａ）、図４（ａ）、図６（ａ）、図７（ａ）、図８（ａ）はそれぞれ、リザーバタンクの第１及び第２の円筒部又はマスタシリンダの第１及び第２のボス部の配列方向に対して垂直方向横側から見た図を表し、図３（ｂ）、図４（ｂ）、図６（ｂ）、図７（ｂ）、図８（ｂ）はそれぞれ、上記配列方向に沿った方向の横側から見た図を表している。また、図５（ａ）及び（ｂ）は、係止部に組付治具の先端つめ部が係止された状態を示す断面図である。
【００３４】
まず、図３（ａ）及び（ｂ）に示すように、リザーバタンク１０がマスタシリンダに対して正しい方向を向くように、リザーバタンク１０を載置台４１上にセットする。図３に示す例では、第１及び第２の円筒部１１ａ、１１ｂを下方側に向け、リザーバタンク１０の底部を下側にしてセットされている。また、図３（ａ）に示すように、第１及び第２の円筒部１１ａ、１１ｂが、リザーバタンクの右側に位置している状態が正しいセット位置である。そして、図３（ａ）では、リザーバ本体２１の底部に形成された第１の係止部２３が図中手前側に、第２の係止部（図示せず）が図中奥側に位置し、図３（ｂ）では、第１の係止部２３が図中左側に、第２の係止部２４が図中右側に位置している。
【００３５】
次いで、図４（ａ）及び（ｂ）に示すように、リザーバタンク１０における第１及び第２の係止部２３、２４が設けられた両横方向側から、組付治具３３、３４の先端つめ部３３ａ、３４ａを第１及び第２の係止部２３、２４が設けられた位置まで移動させる。
次いで、組付治具によってリザーバタンクを保持するとともに、リザーバタンクを載置台上から移動する。このとき、図５（ａ）に示すように、各係止部２３、２４の上側に位置する面２５、２６を組付治具３３、３４の先端つめ部３３ａ、３４ａによって係止させて保持することもでき、あるいは、図５（ｂ）に示すように、組付治具３３、３４の先端つめ部３３ａ、３４ａによってリザーバタンク１０を両側から押圧保持することもできる。さらに、図示しないが、組付治具によってリザーバタンクを保持して、当該リザーバタンクの位置自体を移動させてもよく、あるいは、組付治具によってリザーバタンクを保持し、載置台を移動させても構わない。
【００３６】
次いで、図６（ａ）及び（ｂ）に示すように、組付治具３３、３４によって保持されたリザーバタンク１０を、マスタシリンダ１の上方に位置させる。この状態では、リザーバタンク１０の第１及び第２の円筒部１１ａ、１１ｂと、マスタシリンダ１の第１及び第２のボス部５ａ、５ｂとがそれぞれ位置合わせされている。このとき、組付治具３３、３４によってリザーバタンク１０を保持して、当該リザーバタンク１０の位置自体を移動させてもよく、あるいは、組付治具３３、３４によってリザーバタンク１０を保持し、マスタシリンダ１を移動させても構わない。
なお、図６に示す例では、この状態でグロメットシール７がリザーバタンク１０の円筒部１１ａ、１１ｂに装着されているが、円筒部１１ａ、１１ｂにグロメットシール７を装着する時期、方法等については特に制限されるものではない。さらに、グロメットシールを円筒部に装着しておく以外にも、マスタシリンダ側のボス部内にあらかじめ装着しておくこともできる。
【００３７】
次いで、図７（ａ）及び（ｂ）に示すように、組付治具３３、３４を下降させ、組付治具３３、３４の先端つめ部３３ａ、３４ａを第１及び第２の係止部２３、２４に係止させるとともにリザーバタンク１０をマスタシリンダ１側に押圧し、リザーバタンク１０の円筒部１１ａ、１１ｂをマスタシリンダ１のボス部５ａ、５ｂに嵌合させる。このとき、グロメットシール７は、ボス部５ａ、５ｂの内周面と円筒部１１ａ、１１ｂの外周との間に介在して固定される。そして、図８（ａ）及び（ｂ）に示すように、組付治具３３、３４によって、リザーバタンク１０をマスタシリンダ１側に押圧した状態で、リザーバタンク１０及びマスタシリンダ１それぞれに備えられた固定ピン挿入孔（図示せず）に対して、固定ピン９を挿入し、リザーバタンク１０をマスタシリンダ１に対して固定する。
このようにして、リザーバタンクをマスタシリンダに対して組み付けることができる。
【００３８】
これらの図３〜図８に例示したような組み付け方法を行うにあたり、マスタシリンダ１に対してリザーバタンク１０が誤った方向に組み付けられることがないように、図３に示すリザーバタンク１０をセットする段階で、リザーバタンク１０の方向を正しくセットする必要がある。
そこで、本実施形態のリザーバタンクでは、リザーバ本体を底面側から見た場合における、所定配置した状態での第１及び第２の係止部の配置位置と、所定配置に対して１８０°回転させて配置した状態での第１及び第２の係止部の配置位置とを異ならせている。
例えば、第１及び第２の係止部は、図９（ａ）に示す、リザーバ本体２１を底面側から見た場合における、所定配置した状態での各係止部２３、２４の配置位置と、図９（ｂ）に示す、所定配置に対して１８０°回転させて配置した状態での各係止部２３、２４の配置位置とが異なっている。
【００３９】
第１及び第２の係止部をこのような関係を満足するように配置して形成することにより、セット方向が誤っている場合に、例えば、センサによって係止部の存在不存在を検知したり、組付治具による係止状態を検知したりすることによって、リザーバタンクのセット方向の誤りを発見して、誤組付を防止することができる。セット方向の誤りを検知する手段としては、上述したセンサによる方法や、組付治具との関係において検知する方法に限定されるものではなく種々の手段が考えられるが、中でも、センサを備える必要がなく、生産コストの上昇を伴わずに検知できる、組付治具との関係において検知する方法に用いられるリザーバタンクの係止部の配置位置を中心に以下説明する。
【００４０】
所定の関係を満足するように配置された第１及び第２の係止部を備えるリザーバタンクの構成例を図９〜図１６に示す。
図９〜図１６は、リザーバ本体の底部における、円筒部の配列方向に対して垂直方向に交差する方向の両横方向に係止部を設けたリザーバタンクであり、図１７は、円筒部の配列方向に沿った方向の両横方向に係止部を設けたリザーバタンクである。いずれの方向に沿っても第１及び第２の係止部を備えることができるが、組付治具の配置や移動の邪魔にならないようにでき、組付作業を効率化できることから、図９〜図１６に示すように、円筒部の配列方向に対して垂直方向に交差する方向の両横方向に係止部を設けることが好ましい。
【００４１】
このうち、図９は、底面の一辺側の中央に形成された一つの突出部２３´からなる第１の係止部２３と、対向する辺側の両端側にそれぞれ形成された二つの突出部２４´、２４´´からなる第２の係止部２４とを備えたリザーバタンク１０Ａである。かかるリザーバタンク１０Ａは、底面側から見た場合に、図９（ａ）に示す、第１の係止部２３が設けられた辺側を上にした状態と、図９（ｂ）に示す、１８０°回転させて第２の係止部２４が設けられた辺側を上にした状態とでは、係止部２３、２４の配置位置が異なっている。すなわち、図９（ｂ）に示す状態では、図９（ａ）に示す状態において第１の係止部２３及び第２の係止部２４が存在していた箇所には、係止部が存在しないことになる。
したがって、図９（ａ）の状態を正しいセット方向とすると、方向を誤ってセットした図９（ｂ）の状態では、第１及び第２の係止部２３、２４の配置位置と対応する先端つめ部３３ａ、３４ａを備えた組付治具３３、３４が下降しても係止部２３、２４に係止されないことになるため、誤って組みつけられてしまうことがなくなる。
【００４２】
また、図１０は、底面の一辺側の中央及び両端側に形成された三つの突出部２３´、２３´´、２３´´´からなる第１の係止部２３と、対向する辺側の両端側にそれぞれ形成された二つの突出部２４´、２４´´からなる第２の係止部２４とを備えたリザーバタンク１０Ｂである。このリザーバタンク１０Ｂも、底面側から見た場合に、図１０（ａ）に示す、第１の係止部２３が設けられた辺側を上にした状態と、図１０（ｂ）に示す、１８０°回転させて第２の係止部２４が設けられた辺側を上にした状態とでは、係止部２３、２４の配置位置が異なっている。すなわち、図９に示すリザーバタンク同様、図１０（ｂ）に示す状態では、図１０（ａ）に示す状態において第１の係止部２３及び第２の係止部２４が存在していた箇所には、係止部が存在しないことになる。
したがって、図１０（ａ）の状態を正しいセット方向とすると、方向を誤ってセットした図１０（ｂ）の状態では、第１及び第２の係止部２３、２４の配置位置と対応する先端つめ部３３ａ、３４ａを備えた組付治具３３、３４が下降しても係止部２３、２４に係止されないことになるため、誤って組みつけられてしまうことがなくなる。
【００４３】
これ以外にも、図１１（ａ）〜（ｂ）に示すように構成することによっても、第１及び第２の係止部が所定の関係を満たし、リザーバタンクのセット方向の誤りを検知できるため、誤組付を防止することができる。つまり、第１及び第２の係止部がそれぞれ備える係止部の数については自由に選択可能である。
ただし、係止部の数を増加させるにしたがい、一つ一つの係止部の大きさが小さくなり、組付治具によって発生する押圧力に対する耐久性が低下するおそれがあるため、一方の辺側に備える係止部の数は、多くとも５個以下にすることが好ましい。一方、リザーバタンクを押圧する際に、リザーバタンクの傾きを防止して第１及び第２の円筒部をそれぞれ均等な圧力で押圧するためには、第１及び第２の係止部それぞれにおいて、それぞれの円筒部を中心に、等距離に配置された係止部を含んでいることが好ましい。
これらの点を考慮すると、上述した図９や図１０、さらには、図１１に示すように、一つの円筒部１１ａ又は１１ｂに対する関係としては、それぞれ等距離に置かれた係止部２３´、２３´´、２３´´´、２４´、２４´´、２４´´´を含み、かつ、１８０°反転させた状態で係止部２３、２４の存在不存在が逆転するように、係止部２３、２４を千鳥状に配置して構成することが好ましい。
【００４４】
また、第１及び第２の係止部を複数の係止部から構成した場合には、図１２に示すように、隣接する係止部２３の間にリブ２７を形成することができる。このようなリブ２７を備えることにより、リザーバタンクの収容量を減らすことなく組付治具による押圧力が作用するリザーバ本体の底部の強度を高めることができ、リザーバタンクの損傷を低減させることができる。
このリブを形成する場合には、複数の隣接する係止部の間のすべてに形成することもでき、あるいは、樹脂材料の使用量を減らしてコスト上昇を抑えたい場合などには、複数の隣接する係止部の間の一部に形成することもできる。
【００４５】
また、係止部は、上述した突出部に限られるものではなく、図１３〜図１４に示すような凹部からなる係止部５３、５４や、図１５に示すような孔部からなる係止部６３、６４とすることもできる。突出部からなる係止部は、リザーバタンクのセット方向が誤っている場合に、組付治具が係止できなくなるのに対し、凹部又は孔部からなる係止部は、リザーバタンクのセット方向が誤っている場合には、組付治具が凹部又は孔部内に入り込むことができなくなり、誤って組み付けられることを防ぐことができる。
なかでも、図１５に示すように、リザーバ本体２１の底部から下方に突設した突出部１３に、孔部からなる係止部６３、６４を、所定の関係を満足させて設けることにより、リザーバタンクの誤組付を防ぐことができるとともに、グロメットシールの装着漏れや、位置ずれの有無を確認するための確認穴として機能させることもできる。
【００４６】
また、凹部又は孔部の大きさは、図１６（ａ）に示すように、組付治具３３の先端つめ部３３ａの大きさと実質的に一致させることが好ましい。このような凹部又は孔部からなる係止部５３であれば、組付作業の際に、リザーバタンクが正確に位置合わせされてセットされている場合に、組付治具の先端つめ部が凹部内に進入して係止できるようにすることができる。
また、係止部を、凹部又は孔部とする場合には、図１６（ｂ）に示すように、組付治具３３の進入方向に向けて断面積が小さくなるテーパ状の凹部又は孔部５３´とすることが好ましい。かかるテーパ状の凹部又は孔部からなる係止部であれば、リザーバタンクの位置が少し程度横方向にずれているような場合に、組付治具の進入に伴って位置補正されるため、リザーバタンクの位置合わせとしての機能を持たせることができる。
【００４７】
また、図１７は、第１及び第２の円筒部１１ａ、１１ｂの配列方向に沿った方向の対向する両横方側に、組付治具３３、３４が係止される係止部７３、７４を備えたリザーバタンク１０Ｄである。製造ラインの構成上邪魔になったりしないのであれば、かかる方向側に係止部を設けても構わない。このように構成した場合であっても、リザーバタンクのセット方向を誤った場合には、組付治具が係止部に係止されないために、セット方向の誤りを判断でき、誤組付を防止することができる。
【００４８】
なお、組付装置にセンサ装置を取り付け、係止部の存在不存在を検知する場合には、センサや警報表示回路等を備える分コストが発生するものの、所望のセンシング箇所において、第１及び第２の係止部に異なる部分を設けておくだけで、容易にセット方向の誤りを発見することができる。
このようなリザーバタンクとしては、図１８（ａ）〜（ｂ）に示すような構成のリザーバタンク１０Ｅ、１０Ｆが挙げられる。それぞれのリザーバタンク１０Ｅ、１０Ｆが正しい位置にセットされている状態における切り欠き部８３や突出部８４の位置に合わせてセンサを備えることにより、セット方向が誤っている場合に速やかに検出することができる。
【００４９】
以上説明したように、本発明のリザーバタンクによれば、マスタシリンダに組付ける際に組付治具が係止される係止部を、リザーバ本体の底部近傍の所定位置に形成するとともに、所定の配置関係を満足するように配置することにより、リザーバタンクが方向を誤って組み付けられることを防止することができるようになる。
【図面の簡単な説明】
【００５０】
【図１】リザーバタンクがマスタシリンダに組み付けられた状態を示す図である。
【図２】リザーバタンクとマスタシリンダとの嵌合部分の断面図である。
【図３】リザーバタンクとマスタシリンダとの組付方法を説明するための図である（その１）。
【図４】リザーバタンクとマスタシリンダとの組付方法を説明するための図である（その２）。
【図５】組付治具によってリザーバタンクを保持した状態を説明するための図である。
【図６】リザーバタンクとマスタシリンダとの組付方法を説明するための図である（その３）。
【図７】リザーバタンクとマスタシリンダとの組付方法を説明するための図である（その４）。
【図８】リザーバタンクとマスタシリンダとの組付方法を説明するための図である（その５）。
【図９】係止部の配置位置の例を説明するための図である。
【図１０】係止部の配置位置の別の例を説明するための図である。
【図１１】係止部の配置位置の別の例を説明するための図である。
【図１２】係止部の間に形成したリブを説明するための図である。
【図１３】凹部からなる係止部を説明するための図である。
【図１４】凹部からなる別の係止部を説明するための図である。
【図１５】孔部からなる係止部を説明するための図である。
【図１６】凹部又は孔部の形状を説明するための図である。
【図１７】係止部の別の構成例を示す図である。
【図１８】切り欠き部及び突出部を含む係止部を説明するための図である。
【図１９】従来のリザーバタンクの構成を説明するための図である。
【符号の説明】
【００５１】
１：マスタシリンダ、２：シリンダ本体、３：ピストン、４：液圧室、５：ボス部、６：連絡孔、７：グロメットシール、８：突出部、９：固定ピン、１０：リザーバタンク、１１：円筒部、１３：突出部、１５：固定ピン挿入穴、１７：給液口、１８：大径部、１９：小径部、２１：リザーバ本体、２３：係止部（第１の係止部）、２４：係止部（第２の係止部）、２７：リブ、３３・３４：組付治具、３３ａ・３４ａ：先端つめ部、４１：載置台、５３・５４・６３・６４・７３・７４：係止部、８３：切り欠き部、８４：突出部
【図１】
2008007061.tif 000003
【図２】
2008007061.tif 000004
【図３】
2008007061.tif 000005
【図４】
2008007061.tif 000006
【図５】
2008007061.tif 000007
【図６】
2008007061.tif 000008
【図７】
2008007061.tif 000009
【図８】
2008007061.tif 000010
【図９】
2008007061.tif 000011
【図１０】
2008007061.tif 000012
【図１１】
2008007061.tif 000013
【図１２】
2008007061.tif 000014
【図１３】
2008007061.tif 000015
【図１４】
2008007061.tif 000016
【図１５】
2008007061.tif 000017
【図１６】
2008007061.tif 000018
【図１７】
2008007061.tif 000019
【図１８】
2008007061.tif 000020
【図１９】
2008007061.tif 000021